(57)【要約】【課題】配線パターンを形成するアルミニウム箔上にアルミ用はんだを配置した状態でロール状に巻いても、アルミ用はんだによって裏面に凹部が形成されないようにする。【解決手段】可撓性を有するシート状の基材２１と、該基材２１の一方の表面に積層される絶縁性接着剤層２２と、該絶縁性接着剤層２２を介して基材２１の一方の表面に接着され、バックコンタクト型の太陽電池セル１に配線するための配線パターンを形成するアルミニウム箔２３とを備える金属箔積層体２であって、アルミニウム箔２３表面における太陽電池セル１の接続電極１ｃと対向可能な位置に設けられた凹部２３ｃ内に収容され、表面の高さがアルミニウム箔２３表面以下であり、アルミニウム箔２３上の酸化膜を分解するフラックス（分解剤）を含むアルミ用はんだを備える。【選択図】図１
2013211469.tif 000002
【特許請求の範囲】
【請求項１】
可撓性を有するシート状の基材と、該基材の一方の表面に積層される接着層と、該接着層を介して前記基材の一方の表面に接着され、バックコンタクト型の太陽電池セルに配線するための配線パターンを形成するアルミニウム箔とを備える太陽電池用金属箔積層体であって、
前記アルミニウム箔表面における前記太陽電池セルの接続電極と対向可能な位置に設けられた凹部内に収容され、表面の高さが前記アルミニウム箔表面以下であり、前記アルミニウム箔上の酸化膜を分解する分解剤を含むアルミ用はんだ
を備えることを特徴とする太陽電池用金属箔積層体。
【請求項２】
前記アルミ用はんだの表面の高さは、アルミニウム箔の表面と等しいことを特徴とする請求項１に記載の太陽電池用金属箔積層体。
【請求項３】
前記アルミ用はんだの厚さは、１〜１０μｍであることを特徴とする請求項１または２に記載の太陽電池用金属箔積層体。
【請求項４】
前記アルミ用はんだの融点は、前記太陽電池セルと前記アルミ用はんだとを電気的に接続する導電接続材の融点と等しいまたは該導電接続材の融点より高いことを特徴とする請求項１〜３のいずれか一項に記載の太陽電池用金属箔積層体。
【請求項５】
前記アルミニウム箔の表面を覆う黒色もしくは白色の絶縁性樹脂層が形成されていることを特徴とする請求項１〜４のいずれか一項に記載の太陽電池用金属箔積層体。
【請求項６】
前記基材の他方の表面に太陽電池用バックシート層が積層されていることを特徴とする請求項１〜５のいずれか一項に記載の太陽電池用金属箔積層体。
【請求項７】
バックコンタクト型の太陽電池セルと、
請求項１〜６のいずれか一項に記載の太陽電池用金属箔積層体と、
前記太陽電池セルの前記接続電極と前記太陽電池用金属箔積層体の前記アルミ用はんだとを電気的に接続する導電接続材と、
前記太陽電池セルを封止する封止材と、
前記封止材における前記太陽電池セルの前記受光面側の表面に積層される透光性前面板と
を備えることを特徴とする太陽電池モジュール。
【発明の詳細な説明】
【技術分野】
【０００１】
本発明は、太陽電池用金属箔積層体及び太陽電池モジュールに関する
【背景技術】
【０００２】
近年、温室効果ガスの排出量の増加や化石燃料の枯渇などの問題から、自然エネルギーである太陽光を利用した太陽光発電するための太陽電池モジュールの開発が活発に進められている。このような太陽電池モジュールとして、例えば特許文献１，２に記載されているように、電極がセルの裏面に設置されたバックコンタクト方式の太陽電池セルを搭載した太陽電池モジュールが提案されている。このような太陽電池モジュールでは、絶縁性の基材の表面に、太陽電池セルに接続するための配線パターンを形成する金属箔を絶縁性接着剤層を介して接着したものに、太陽電池用バックシートを積層させてなる積層体が知られている。この積層体は、配線パターンと太陽電池セルの裏面に設けられた電極がはんだ等によって接合されることによって通電する。
【０００３】
ところで、上述した各特許文献１及び２に記載された積層体において、積層体に積層する金属箔の配線パターンとして主に銅箔が用いられていたが、銅箔は貴金属に属し高価であるので、銅箔に対して安価かつ価格が比較的安定しているアルミニウム箔を用いることが提案されている。アルミニウム箔等の金属箔を用いて配線パターンを形成する技術として、例えば、特許文献３には、絶縁性の感熱性接着層に金属箔が重ねられた導電性パターン形成用金属箔シートを絶縁性基板に貼り付けてから、配線パターンに打ち抜く技術が記載されている。上記アルミニウム箔上に太陽電池セルの電極をはんだ付けする場合、アルミ用はんだを用いることが好ましい。アルミニウム箔の表面に酸化膜が形成されているために、アルミニウム箔と太陽電池セルとを通常はんだではんだ付けしたのでは、導通状態することができない。そのため、アルミニウム箔表面の酸化膜を分解するフラックス成分が含まれるアルミ用はんだを用いて上記酸化膜を除去することが行われている。
【先行技術文献】
【特許文献】
【０００４】
【特許文献１】特開２００５−１１８６９号公報
【特許文献２】特開２００９−１１１１２２号公報
【特許文献３】特開２００７−７６２８８号公報
【発明の概要】
【発明が解決しようとする課題】
【０００５】
ところで、上記従来技術を用いて、図４に示すように基材１１０上に絶縁性接着剤層１２０を介して接着されたアルミニウム箔１３０にアルミ用はんだ１４０をプレコートした積層体シート１００を製造した場合、運搬等に便利なように積層体シート１００をロール状に巻いた状態にすると、基材１１０の裏面にバックシート１５０が積層されているものである場合、該バックシート１５０にアルミ用はんだ１４０が当接し、バックシート１５０に凹部１５０ａが形成される。バックシート１５０（またバックシート１５０がない場合には基材１１０の裏面）に凹部１５０ａが形成されると、アルミニウム箔１３０表面に凹凸が生じてしまう。こうした凹凸は、太陽電池セルの実装精度を劣化させる要因になる。また、アルミニウム箔１３０表面に凹凸がある状態で積層体シート１００をロール状に巻き取ると、バックシート１５０（また基材１１０の裏面）にさらに凹凸ができ、外観異常の不良原因となる。
【０００６】
本発明は、上述した事情に鑑みてなされたものであり、配線パターンを形成するアルミニウム箔上にアルミ用はんだを配置した状態でロール状に巻いても、アルミ用はんだによって裏面に凹部が形成されないようにすることを目的とする。
【課題を解決するための手段】
【０００７】
上記目的を達成するために、本発明では、太陽電池用金属箔積層体に係る第１の解決手段として、可撓性を有するシート状の基材と、該基材の一方の表面に積層される接着層と、該接着層を介して基材の一方の表面に接着され、バックコンタクト型の太陽電池セルに配線するための配線パターンを形成するアルミニウム箔とを備える太陽電池用金属箔積層体であって、アルミニウム箔表面における太陽電池セルの接続電極と対向可能な位置に設けられた凹部内に収容され、表面の高さがアルミニウム箔表面以下であり、アルミニウム箔上の酸化膜を分解する分解剤を含むアルミ用はんだを備える、という手段を採用する。
【０００８】
本発明では、太陽電池用金属箔積層体に係る第２の解決手段として、上記第１の解決手段において、アルミ用はんだの表面の高さは、アルミニウム箔の表面と等しい、という手段を採用する。
【０００９】
本発明では、太陽電池用金属箔積層体に係る第３の解決手段として、上記第１または第２の解決手段において、アルミ用はんだの厚さは、１〜１０μｍである、という手段を採用する。
【００１０】
本発明では、太陽電池用金属箔積層体に係る第４の解決手段として、上記第１〜第３のいずれか１つの解決手段において、アルミ用はんだの融点は、太陽電池セルとアルミ用はんだとを電気的に接続する導電接続材の融点と等しいまたは該導電接続材の融点より高い、という手段を採用する。
【００１１】
本発明では、太陽電池用金属箔積層体に係る第５の解決手段として、上記第１〜第４のいずれか１つの解決手段において、アルミニウム箔の表面を覆う黒色もしくは白色の絶縁性樹脂層が形成されている、という手段を採用する。
【００１２】
本発明では、太陽電池用金属箔積層体に係る第６の解決手段として、上記第１〜第５のいずれか１つの解決手段において、基材の他方の表面に太陽電池用バックシート層が積層されている、という手段を採用する。
【００１３】
また、本発明では、太陽電池モジュールに係る解決手段として、バックコンタクト型の太陽電池セルと、上記第１〜第６のいずれか１つの解決手段に係る太陽電池用金属箔積層体と、太陽電池セルの接続電極と太陽電池用金属箔積層体のアルミ用はんだとを電気的に接続する導電接続材と、太陽電池セルを封止する封止材と、封止材における太陽電池セルの受光面側の表面に積層される透光性前面板とを備える、という手段を採用する。
【発明の効果】
【００１４】
本発明の太陽電池用金属箔積層体及び太陽電池モジュールによれば、アルミニウム箔に設けられた凹部内において、アルミ用はんだ表面の高さがアルミニウム箔表面以下に設定されているので、配線パターンを形成するアルミニウム箔上にアルミ用はんだを配置した状態でロール状に巻いても、基材の裏面（他方の表面）に凹部が形成されないという効果を奏する。
【図面の簡単な説明】
【００１５】
【図１】本発明の実施形態の太陽電池用金属箔積層体及び太陽電池モジュールの概略構成を示す模式的な断面図である。
【図２】本発明の実施形態の太陽電池用金属箔積層体の概略構成を示す模式的な平面図である。
【図３】本発明の実施形態の第１変形例の太陽電池用金属箔積層体および太陽電池モジュールの概略構成を示す模式的な断面図である。
【図４】従来技術の積層体シートの構成の一例を示す模式的な断面図である。
【発明を実施するための形態】
【００１６】
以下、図面を参照して、本発明の実施形態について説明する。
本実施形態に係る太陽電池モジュールＡは、図１に示すように、太陽電池セル１、金属箔積層体２（太陽電池用金属箔積層体）、導電接続材３、封止材４及び透光性基板５から構成されている。このような太陽電池モジュールＡは、上記太陽電池セル１の受光面１ａに入射された光を利用して発電する発電装置である。
【００１７】
太陽電池セル１は、入射された光を受光する受光面１ａと反対側の裏面１ｂに複数の接続電極１ｃが設けられたバックコンタクト方式の太陽電池セルである。この太陽電池セル１では、接続電極１ｃが導電接続材３を介して金属箔積層体２に接続されている。また、太陽電池セル１は、透光性基板５と金属箔積層体２との間において封止材４に封止されている。なお、太陽電池セル１は、図１、２において図示を省略しているが、金属箔積層体２の面方向に沿って複数のものが所定の間隔を空けて隣り合わせに配置され、それぞれに２つの接続電極１ｃが設置されている。このような太陽電池セル１は、バックコンタクト方式であれば、適宜のものを採用することができる。また、太陽電池セル１は、図２に二点鎖線で示すように、平面視形状が平面視矩形状などの適宜形状のものを採用することができる。
【００１８】
金属箔積層体２は、導電接続材３を介して太陽電池セル１の接続電極１ｃに接続されて太陽電池セル１に配線するものであり、図１に示すように、基材２１、絶縁性接着剤層２２（接着層）、アルミニウム箔２３、アルミ用はんだ２４及びバックシート２５（太陽電池用バックシート層）から構成されている。このような金属箔積層体２は、バックシート２５、基材２１、絶縁性接着剤層２２及びアルミニウム箔２３という順番で積層されている。
【００１９】
基材２１は、樹脂材料をシート状もしくはフィルム状に形成した可撓性を有する部材からなり、バックシート２５上に積層されると共に絶縁性接着剤層２２を介してアルミニウム箔２３を支持する。このような基材２１は、電気絶縁性に優れる材料からなることが好ましい。例えば、基材２１の材料としては、アクリル、ポリカーボネート、ポリエチレンテレフタレート、ポリエチレンナフタレート、ポリイミド、ウレタン、エポキシ、メラミン、スチレンなどの樹脂材料、またはこれらを共重合した樹脂材料を用いることが可能である。
【００２０】
また、基材２１の材料として、断熱性、弾力性及び光学特性の必要に応じて、有機フィラーまたは無機フィラー等を混入した材料を用いることも可能である。さらに、基材２１には、上記樹脂材料を複数積層させた積層フィルムや、上記の樹脂材料の層と、例えばアルミニウム箔等の金属箔とを積層させた複合積層フィルムを採用することも可能である。基材２１に上記複合積層フィルムを用いる場合のように、基材２１が太陽電池モジュールＡの外表面として必要な強度や、水分や酸素等の遮断性を有している場合には、バックシート２５を削除して、基材２１がバックシート２５の機能を兼ねる構成としてもよい。
【００２１】
絶縁性接着剤層２２は、基材２１の一方の表面にアルミニウム箔２３を接着するために、基材２１の一方の表面に積層された接着層であり、例えば、硬化性樹脂であるウレタン、アクリル、エポキシ、ポリイミド、オレフィン、またはこれらを共重合した硬化型接着剤を硬化させることで形成されている。硬化型接着剤の種類は特に限定されず、例えば、熱硬化型接着剤、ＵＶ硬化型接着剤などを適宜採用できる。また、絶縁性接着剤層２２として、段階硬化型でない接着剤を用いても良い。
【００２２】
アルミニウム箔２３は、絶縁性接着剤層２２を介して基材２１の一方の表面に接着されることにより基材２１と一体に接合され、太陽電池セル１に配線するための配線パターンを形成する。このようなアルミニウム箔２３は、太陽電池セル１の接続電極１ｃの配置に応じて適宜の平面視形状を備えている。アルミニウム箔２３の配線パターンとしては、例えば、図２に示すように、略一定の線幅を有する４つの線状部ａ１、ａ２、ａ３、ａ４が櫛歯状をなして配置された櫛歯状部２３ａと、略一定の線幅を有する４つの線状部ｂ１、ｂ２、ｂ３、ｂ４が櫛歯状をなして配置された櫛歯状部２３ｂとから構成され、これら櫛歯状部２３ａ、２３ｂが互いの線状部間の隙間に貫入するとともに所定の間隔を空けて近接配置されたパターンがある。
【００２３】
このパターンの場合、櫛歯状部２３ａ、２３ｂはそれぞれ発電出力のプラス電極配線、マイナス電極配線に対応している。また、図２の二点鎖線で示すように、櫛歯状部２３ａ、２３ｂを上方から覆う位置に太陽電池セル１が配置されている。このような太陽電池セル１には、線状部ａ１〜ａ４、ｂ１〜ｂ４各々に対して３個ずつ、合計２４個の接続電極１ｃ（図２の二点鎖線参照）が設けられている。また、アルミニウム箔２３にて形成される各線状部ａ１〜ａ４、ｂ１〜ｂ４上には、太陽電池セル１の接続電極１ｃに対向可能な位置に凹部２３ｃが３個ずつ設けられている。この凹部２３ｃ内には、アルミ用はんだ２４が収容されている。なお、図２に示すアルミニウム箔２３のパターンの形状及び太陽電池セル１の接続電極１ｃの個数、配置は、一例であってこれに限定されるものではない。アルミニウム箔２３の材質としては、なるべく良好な電気導電性を確保するために、例えば、１Ｎ３０材などの高純度アルミニウムを使用することが望ましい。
【００２４】
アルミ用はんだ２４は、粉体状のアルミニウムと、フラックス（分解剤）と、ペースト状の合成樹脂とを所定の割合で混合したものであり、アルミニウム箔２３上に設けられた凹部２３ｃ内に収容されている。ここで、アルミ用はんだ２４に用いられるフラックスは、例えば、フッ酸、塩酸、硫酸、硝酸クロム酸などの強酸や強アルカリの水溶液である。このフラックスによってアルミニウム箔２３表面の酸化膜を分解することができる。また、アルミ用はんだ２４に用いられる合成樹脂は、例えばスチレン−マレイン酸樹脂、エポキシ樹脂、ウレタン樹脂である。
【００２５】
このようなアルミ用はんだ２４は１μｍ以下では皮膜にならず、１０μｍ以上ではコストが大きくなるので、アルミ用はんだ２４の厚さは１〜１０μｍに設定されている。アルミ用はんだ２４の厚さをこのように薄くすることによって、アルミ用はんだ２４の使用量を極力減らすことできるので、低コスト化が可能である。また、アルミニウム箔２３が、表面粗さが極めて低いプロファイルフリーである場合には、その粗さが１μｍ以下であり、またプロファイルフリーではなくある程度粗さがある場合には、その粗さが５〜８μｍであるので、アルミニウム箔２３の表面の粗さに応じて適宜アルミ用はんだ２４の厚さを１〜１０μｍの範囲の所定の厚さに設定することによって、アルミ用はんだ２４の表面を平坦にすると共にピンホールが生じないようにできる。
【００２６】
また、アルミ用はんだ２４の表面の高さは、アルミニウム箔２３表面と等しくなっている。つまり、アルミニウム箔２３表面上には、アルミ用はんだ２４によって凸部が形成されていない。
【００２７】
また、アルミ用はんだ２４は、後述する導電接続材３（通常はんだもしくは銀ペースト等）と等しい融点、または導電接続材３より高い融点であることが望ましい。例えば、導電接続材３がはんだである場合に、アルミ用はんだ２４がはんだよりも融点が低いと、はんだを加熱溶融してアルミ用はんだ２４上に滴下した際に、アルミ用はんだ２４が溶融してはんだに混ざってしまう。これが原因で、はんだにクラックや密着不良などが発生して、太陽電池モジュールＡの信頼性の低下を招くおそれがある。なお、アルミ用はんだ２４と導電接続材３との融点が等しい場合には、両者の組成が同じであるので、両者が混ざることによって導電接続材３にクラックや密着不良などが生じることはない。
【００２８】
バックシート２５は、アルミニウム箔２３が積層されていない基材２１の他方の表面（裏面）に積層されることにより金属箔積層体２の外表面を構成するものであり、太陽電池モジュールＡ（金属箔積層体２）の内部に水分や酸素等が侵入することを抑制するためのシート状部材である。つまり、バックシート２５は、シールド材としてのバリア機能を有する。このようなバックシート２５の材質としては、水分や酸素に対する遮断性に優れた適宜の樹脂材料、アルミニウム箔、または適宜の樹脂とアルミニウム箔との複合積層フィルムを採用することができる。
【００２９】
導電接続材３は、太陽電池セル１の接続電極１ｃとアルミ用はんだ２４との間に設けられ、太陽電池セル１とアルミ用はんだ２４（アルミニウム箔２３）とを電気的に接続する。このような導電接続材３の材料としては、電気抵抗が低い材料が使用される。例えば、導電接続材３の材料としては、はんだや銀ペーストである。はんだとしては、錫、銀、銅、ビスマス、鉛、フラックス成分等を含有したはんだを使用することができる。また、銀ペーストとしては、シリコーン系硬化樹脂、エポキシ系硬化樹脂、ウレタン系硬化樹脂、アクリル系硬化樹脂などに、銀粒子を含有したペーストを使用することができる。はんだの溶融方法及び銀ペーストの硬化方法は、それぞれの材料に応じて、周知の手法を用いることができる。例えば、熱風リフロー、赤外線リフロー、オーブン加熱、ホットプレート加熱及び真空加圧ラミネートなどの手法を用いることができる。
【００３０】
封止材４は、図１に示すように、透光性基板５と金属箔積層体２の基材２１との間において太陽電池セル１を封止するものである。このような封止材４は、透光性基板５を通過した光が太陽電池セル１の受光面１ａに入射するように光の透過率が高く、かつ太陽電池セル１を封止して絶縁できるものであれば、適宜の材質から構成することができる。封止材４の材質としては、例えば、エチレン・酢酸ビニル共重合体（ＥＶＡ）フィルムである。封止材４をＥＶＡフィルムで構成する場合、太陽電池セル１を挟み込むように２枚以上のＥＶＡフィルムを積層して、封止材４を形成してもよい。
【００３１】
透光性基板５は、封止材４における太陽電池セル１の受光面１ａ側の表面に積層され、入射光を太陽電池セル１の受光面１ａに導くと共に、太陽電池モジュールＡにおいてバックシート２５と反対側の外表面を構成する部材である。透光性基板５の材料としては、例えば、ガラス基板または透明樹脂基板などを用いることができる。透明樹脂基板を構成する透明樹脂としては、例えば、アクリル樹脂、ポリカーボネート、ポリエチレンテレフタレートなどを用いることができる。
【００３２】
次に、このような構成の金属箔積層体２および太陽電池モジュールＡの製造方法について説明する。
まず、基材２１上に絶縁性接着剤層２２を介して、配線パターンが未形成のアルミニウム箔２３をラミネート接着する。そして、このアルミニウム箔２３の表面に、配線パターンに対応するレジストをパターニング形成し、薬液エッチングにより、レジストに被覆されていないアルミニウム箔２３をエッチングすることで除去して、アルミニウム箔２３の配線パターンを形成する。その後、配線パターン上のレジストを除去する。この薬液エッチングの際、アルミニウムのエッチング液残渣が絶縁性接着剤層２２上に残存している場合、電気マイグレーションの原因となるので、残渣除去の工程を入れることが望ましい。
【００３３】
このようにして、絶縁性接着剤層２２上に、配線パターンを形成するアルミニウム箔２３が積層された状態となる。そして、アルミニウム箔２３表面の太陽電池セル１の接続電極１ｃと対向可能な位置に、凹部２３ｃを形成する。つまり、接続電極１ｃに対応する位置に凸部が設けられた版をアルミニウム箔２３の表面に押し当てることによって、アルミニウム箔２３表面に凹部２３ｃを形成する。以上では、絶縁性接着剤層２２を介して基材２１上にアルミニウム箔２３を接着してから、アルミニウム箔２３表面に凹部２３ｃを形成したが、予めアルミニウム箔２３表面に凹部２３ｃを形成し、このようなアルミニウム箔２３を基材２１上に接着するようにしてもよい。
【００３４】
このようなアルミニウム箔２３の表面が大気に触れると、アルミニウム箔２３上には、酸化膜層が形成される。本実施形態では、この酸化膜層を除去するための薬液処理は実施しない。次に、基材２１の他方の表面（アルミニウム箔２３が接着されていない表面）にバックシート２５を、例えばバックシート樹脂を印刷コーティングすることにより積層させる。
【００３５】
続いて、アルミニウム箔２３表面の凹部２３ｃ内にアルミ用はんだ２４を配置する。つまり、アルミニウム箔２３表面の凹部２３ｃ内にアルミ用はんだ２４を印刷、例えばスクリーン印刷等のパターン印刷によってアルミ用はんだ２４が所定の厚さ（１〜１０μｍ）になるように塗布する。なお、アルミ用はんだ２４をスクリーン印刷だけでなく、グラビア印刷、オフセット印刷、インクジェット印刷等による各種のパターン印刷や、ディスペンサを用いてアルミニウム箔２３上に所定のパターンに塗布できる。このようにして金属箔積層体２が製造される。
【００３６】
例えば、金属箔積層体２の製造メーカーが上述した製造方法等を使用してアルミニウム箔２３表面にアルミ用はんだ２４をプレコートした金属箔積層体２を製造可能である場合には、該金属箔積層体２を使用して太陽電池モジュールＡを製造するメーカーでは、アルミ用はんだ２４から生じる有害ガスの排気処理等を気にすることなく、金属箔積層体２に太陽電池セル１を取り付ける作業を行うことができる。つまり、金属箔積層体２の製造メーカーが、アルミ用はんだ２４から生じる有害ガスの排気処理や、金属箔積層体２の水洗時に発生する有害物質を含む洗浄水の排水処理を行うので、太陽電池モジュールＡの製造メーカーは、これらの煩わしい処理を行う必要がない。
【００３７】
続いて、上記金属箔積層体２上に導電接続材３を配置する処理について説明する。例えば、導電接続材３がはんだの場合には、アルミ用はんだ２４上で加熱溶融させるか、あるいは加熱溶融したはんだをアルミ用はんだ２４上に滴下する。そして、アルミ用はんだ２４上に表面張力で盛り上がった状態に保持されたはんだ上に太陽電池セル１の裏面１ｂの接続電極１ｃを載置し、冷却する。これにより、アルミニウム箔２３の配線パターンと太陽電池セル１の接続電極１ｃとが導通状態で固定される。
【００３８】
次に、フィルム状の封止材４および透光性基板５を積層させて、積層ラミネート工程を行うことにより、太陽電池セル１を封止するとともに、透光性基板５を接着する。以上で、太陽電池モジュールＡが製造される。
【００３９】
このような本実施形態によれば、アルミニウム箔２３に設けられた凹部２３ｃ内において、アルミ用はんだ２４の表面の高さがアルミニウム箔２３と等しくなるように設定されているので、配線パターンを形成するアルミニウム箔２３上にアルミ用はんだ２４を配置した状態でロール状に巻いても、アルミ用はんだ２４によってバックシート２５に凹部が形成されない。
【００４０】
また、このように本実施形態によれば、アルミ用はんだ２４の厚さを１〜１０μｍの薄さに設定することによって、アルミ用はんだ２４の使用量を極力減らすことできるので、低コスト化が可能である。また、アルミニウム箔２３の表面粗さが１μｍ以下である場合や、５〜８μｍである場合で、アルミニウム箔２３の表面粗さに応じて適宜アルミ用はんだ２４の厚さを１〜１０μｍの範囲の所定の厚さに設定することによって、アルミ用はんだ２４の表面を平坦にすると共にピンホールが生じないようにできる。
【００４１】
また、このような本実施形態によれば、アルミ用はんだ２４が導電接続材３（通常はんだもしくは銀ペースト等）と等しい融点、または導電接続材３より高い融点に設定されているので、導電接続材３とアルミ用はんだ２４とが同時に溶融して混ざることが原因で導電接続材３にクラックや密着不良などが発生して、太陽電池モジュールＡの信頼性の低下を招くことがない。
【００４２】
また、金属箔積層体２の製造メーカーが上述した製造方法等を使用してアルミニウム箔２３表面にアルミ用はんだ２４をプレコートした金属箔積層体２を製造する場合には、金属箔積層体２の製造メーカーが、アルミ用はんだ２４から生じる有害ガスの排気処理や、金属箔積層体２の水洗時に発生する有害物質を含む洗浄水の排水処理を行うので、太陽電池モジュールＡの製造メーカーは、これらの煩わしい処理を行う必要がない。
【００４３】
［第１変形例］
次に本実施形態の第１変形例の金属箔積層体２Ｂ及び太陽電池モジュールＢについて図３を参照して説明する。
【００４４】
本変形例の金属箔積層体２Ｂ（太陽電池用金属箔積層体）は、図３に示すように、上記実施形態の金属箔積層体２のアルミニウム箔２３および絶縁性接着剤層２２の一部を覆うように、絶縁性樹脂層６を積層させたものである。また、本実施形態の太陽電池モジュールＢは、上記実施形態の太陽電池モジュールＡにおいて、金属箔積層体２に代えて、金属箔積層体２Ｂを備えたものである。
以下、上記実施形態と異なる点を中心に説明する。
【００４５】
絶縁性樹脂層６は、透光性基板５を通して、互いに隣接する太陽電池セル１の間の内部構造、特に、反射率の高いアルミニウム箔２３が直に見えないように覆うためのものである。このため、絶縁性樹脂層６は、アルミニウム箔２３のどこに形成されていてもよいが、少なくとも、互いに隣接する太陽電池セル１の間のアルミニウム箔２３及び絶縁性接着剤層２２上を覆うように形成される。
【００４６】
絶縁性樹脂層６は、絶縁性を有する適宜の色の樹脂を採用することができるが、黒色または白色とすることが特に好ましい。絶縁性樹脂層６が黒色樹脂からなる場合には、太陽電池セル１受光面の黒色とアルミニウム箔２３の金属色の色相差を緩和し、上面からの外観が黒一色となるため意匠性が向上する。
【００４７】
一方、絶縁性樹脂層６が白色樹脂からなる場合、白色樹脂により太陽光等の入射光が太陽電池セル１下方側から反射されて、受光面に再入射しやすくなるため、太陽電池モジュールＢの発電効率を向上することができる。
【００４８】
絶縁性樹脂層６に用いる樹脂材料は特に限定されない。例えば、エポキシ、エポキシアクリレート、アクリル、ウレタンなどの樹脂を挙げることができる。このような絶縁性樹脂層６の形成方法としては、例えば、スクリーン印刷、グラビア印刷、グラビアオフセット印刷、ディスペンス塗工、インクジェット塗工、フォトリソグラフィーなどの手法を用いることができる。
【００４９】
また、絶縁性樹脂層６の形成パターンは、太陽電池セル１の外形よりもわずかに内側に入り込んで、太陽電池セル１の外形と略同じ形状に開口するパターンに塗工することが可能である。この場合、絶縁性樹脂層６間によって形成される開口部が、太陽電池セル１の配置位置とほぼ一致するため、太陽電池セル１の設置位置合わせ用基準の代替として使用することができる。
【００５０】
本変形例の金属箔積層体２Ｂを用いた太陽電池モジュールＢによれば、絶縁性樹脂層６によって、アルミニウム箔２３および絶縁性接着剤層２２が覆われるため、太陽電池セル１の間の隙間が黒色または白色に統一されて、外観が良好となる。
【００５１】
なお、上記に説明した本発明の金属箔積層体および太陽電池モジュールは、上述の実施形態、各変形例の形態に限定されるものではなく、本発明の要旨を逸脱しない範囲で適宜の構成や材料等の変更、置換、削除が可能であり、これらも本発明に含まれる。また、上記に説明したすべての構成要素は、適宜組み合わせて実施することが可能である。
【００５２】
上述の実施形態では、配線パターンのアルミニウム箔２３と太陽電池セル１とを接合する導電接続材３として、はんだもしくは銀ペーストを設けたが、導電接続材３は、これに限定されることなく適宜の溶融性の導電性部材を用いることができる。
【００５３】
また、上述の実施形態では、金属箔積層体２として基材２１上の全面に絶縁性接着剤層２２を積層して、絶縁性接着剤層２２の上にアルミニウム箔２３を接着させたが、この構成に代えて絶縁性接着剤層２２もアルミニウム箔２３の配線パターンと同様にパターン状に基材２１上に塗布して配設してもよい。
【００５４】
また、本発明の実施形態による金属箔積層体２は必ずしも太陽電池モジュールＡに用いるものではなく、その他、ＩＣタグのアンテナや、導電体や回路パターン等の各種の導電性パターンを構成するものとして用いることもできる。本発明における金属箔積層体２の用途は任意である。
【００５５】
また、上述の実施形態では、アルミニウム箔２３が、一定幅を有する線状部からなる場合の例で説明したが、アルミニウム箔２３の配線パターンの線幅は変化していてもよく、例えば、線状部の中間に、線幅を拡幅するように設けられた四角形や円形等の形状を形成していてもよい。このような拡幅部に、銅箔２６を設置すれば、銅箔２６の形状の自由度が大きくなり、銅箔２６を囲むアルミニウム箔２３の面積を容易に増やすことができる。
【００５６】
また、上述の実施形態では、アルミ用はんだ２４の表面の高さがアルミニウム箔２３の表面と等しく設定されているが、本発明はこれに限定されない。アルミ用はんだ２４の表面の高さがアルミニウム箔２３の表面以下であれば、アルミ用はんだ２４によってバックシート２５に凹部が形成されないので、アルミ用はんだ２４の表面の高さを、アルミニウム箔２３の表面より低くしてもよい。
【符号の説明】
【００５７】
Ａ、Ｂ  太陽電池モジュール
１    太陽電池セル
１ａ  受光面
１ｂ  裏面
１ｃ  接続電極
２、２Ｂ  金属箔積層体
２１  基材
２２  絶縁性接着剤層（接着層）
２３  アルミニウム箔
２４  アルミ用はんだ
２５  バックシート（太陽電池用バックシート層）
ａ１、ａ２、ａ３、ａ４  線状部
２３ａ  櫛歯状部
ｂ１、ｂ２、ｂ３、ｂ４  線状部
２３ｂ  櫛歯状部
２３ｃ  凹部
３  導電接続材
４  封止材
５  透光性基板
６  絶縁性樹脂層
【図１】
2013211469.tif 000003
【図２】
2013211469.tif 000004
【図３】
2013211469.tif 000005
【図４】
2013211469.tif 000006